(57)【要約】【課題】除塵性能及び乾燥性能に優れた洗濯乾燥機を提供する。【解決手段】洗濯物３を収納すると共に外槽４３内に回転自在に設けられた内槽４４と、内槽４４内に送風する送風ファン４９と、送風ファン４９で送風される空気を加熱する加熱手段５５と、洗濯物３から発生する糸くず等を捕獲する防塵フィルター４７と、内槽４４に取着されると共に防塵フィルター４７に捕獲された糸くず等を除去する除塵体４８とを有し、内槽４４の回転時に発生する遠心力で除塵体４８を、防塵フィルター４７上に移動させるようにしたもので、例えば、内槽４４の回転数が乾燥運転時の回転数まで上昇したときに、除塵体４８が防塵フィルター４７上まで移動するように設定すれば、乾燥運転時に、自動的に除塵体４８が防塵フィルター４７に摺接して、効率的に且つ確実に糸くず等を除去して、乾燥効率の低下を防止することができる。【選択図】図１
2008272222.tif 000002
【特許請求の範囲】
【請求項１】
外槽と、洗濯物を収納すると共に前記外槽内に回転自在に設けられた内槽と、前記内槽内に送風する送風手段と、前記送風手段により送風される空気を加熱する加熱手段と、前記洗濯物から発生する糸くず等を捕獲する防塵フィルターと、前記内槽に取着されると共に前記防塵フィルターに捕獲された糸くず等を除去する除塵体とを有し、前記内槽の回転時に発生する遠心力で前記除塵体を、前記防塵フィルター上に移動させるようにした洗濯乾燥機。
【請求項２】
除塵体はブラシ部材を備え、前記ブラシ部材を防塵フィルターの表面に摺接させて糸くず等を除去するようにした請求項１に記載の洗濯乾燥機。
【請求項３】
内槽の回転数が、脱水運転時の回転数に達したときに、除塵体を防塵フィルターより外方に移動させるようにした請求項１又は２に記載の洗濯乾燥機。
【請求項４】
外槽と、洗濯物を収納すると共に前記外槽内に回転自在に設けられた内槽と、前記内槽内に送風する送風手段と、前記送風手段により送風される空気を加熱する加熱手段と、前記洗濯物から発生する糸くず等を捕獲する防塵フィルターと、前記内槽に取着され前記防塵フィルターに捕獲された糸くず等を除去する除塵体と、前記除塵体に連結されると共に温度を感知すると動作する温度感知部材とを備え、前記温度感知部材は、乾燥運転時に前記加熱手段によって加熱された空気の温度を感知すると、前記除塵体を前記防塵フィルターに当接させるようにした洗濯乾燥機。
【発明の詳細な説明】
【技術分野】
【０００１】
本発明は、洗濯乾燥機に関するもので、特に、乾燥運転時に衣類から発生する糸くずなどを捕獲する防塵フィルターを備えた洗濯乾燥機に関するものである。
【背景技術】
【０００２】
従来のこの種の洗濯乾燥機は、衣類を収納すると共に駆動手段で回転駆動される内槽と、前記内槽を回転自在に収納する外槽と、前記内槽の一側と他側を連通し内部に、送風機と、除湿手段と空気を加熱するヒータを有する乾燥風循環経路を備え、乾燥運転時に、送風機により、ヒーターで加熱され生成された温風を内槽内に吹き出し、衣類から水分を蒸発させ、水分を含んだ空気を除湿手段に送り、そこで除湿した後、ヒーターに送り、再び内槽内に送り込むようにして、乾燥風を循環させながら、衣類の乾燥を行なうようになっている。
【０００３】
上記乾燥運転時に衣類から糸くず等が発生するが、これらが、除湿手段やヒーターに付着すると、除湿能力や空気の加熱能力が著しく低下するので、これを防止するために、送風機の上流側に、糸くず等を捕獲するための防塵フィルターが設けられている。この防塵フィルターに糸くず等が堆積してくると、乾燥効率が著しく低下してくるので、防塵フィルターを定期的に清掃する必要があるが、従来は、この防塵フィルターを着脱自在にして、使用者が、定期的に防塵フィルターを取り外して、掃除をするようにしていた（例えば、特許文献１参照）。
【０００４】
しかしながら、このような方法だと、使用者が、一々防塵フィルターを取り外して掃除しなければならず、非常に面倒で、また、不衛生であった。
そこで、上記問題を解決し、防塵フィルターを自動的に清掃するために、防塵フイルターを、外槽内の洗濯水の水面より下方に位置させ、洗濯運転時の洗濯水の流れで、乾燥運転時に防塵フィルターで捕獲された糸くず等を洗い落とすようにしたり、乾燥運転時の空気の流れ方向と逆の方から、防塵フイルターに、循環する洗濯水や、洗濯やすすぎ運転時に給水される水を通して、糸くず等を洗い流すようにしたものがある（例えば、特許文献２参照）。
【０００５】
また、同じく、防塵フイルターを、外槽内の洗濯水の水面より下方に位置させ、内槽の背面に、通常バネの付勢力で内槽の背面側に倒れており、洗濯運転時に、洗濯水の抵抗でバネの付勢力に抗して起き上がり、防塵フイルターに摺接するブラシ体を設け、洗濯運転やすすぎ運転時の内槽の回転に伴い、防塵フイルターに付着した糸くず等を、ブラシ体で掻き取るようにした洗濯乾燥機も提案されている（例えば、非特許文献１参照）。
【特許文献１】特開２００１−３００１９２号公報
【特許文献２】特開平８−２４３２９２号公報
【非特許文献１】シャープ株式会社製洗濯乾燥機ＥＳ−ＨＧ９１Ｆ
【発明の開示】
【発明が解決しようとする課題】
【０００６】
しかしながら、上記特許文献２に開示された洗濯乾燥機の構成では、防塵フイルターに付着した糸くず等を、給水や洗濯水で洗い流そうとするもので、これでは、防塵フィルターの目に絡みついた糸くず等を確実に取り除くことができないという課題があった。
【０００７】
また、上記非特許文献１の洗濯乾燥機の構成では、ブラシ体で、防塵フィルターに付着した糸くず等を掻き取るようにしているので、糸くず等の除去性能は向上する。しかしながら、糸くず等は、乾燥運転時に発生すると共に、それが防塵フイルターに次第に堆積していくものであるため、上記非特許文献１に記載された洗濯乾燥機のように、洗濯やすすぎ運転時にのみ、糸くず等を除去するだけでは、乾燥運転時の糸くず等の堆積による乾燥効率の低下を防止できないという課題があった。
【０００８】
本発明は、前記従来の課題を解決するもので、防塵フィルターに付着した糸くず等を確実に除去できると共に、乾燥効率に優れた洗濯乾燥機を提供する事を目的とするものである。
【課題を解決するための手段】
【０００９】
前記従来の課題を解決するために、本発明の洗濯乾燥機は、外槽と、洗濯物を収納すると共に前記外槽内に回転自在に設けられた内槽と、前記内槽内に送風する送風手段と、前記送風手段により送風される空気を加熱する加熱手段と、前記洗濯物から発生する糸くず等を捕獲する防塵フィルターと、前記内槽に取着されると共に前記防塵フィルターに捕獲された糸くず等を除去する除塵体とを有し、前記内槽の回転時に発生する遠心力で前記除塵体を、前記防塵フィルター上に移動させるようにしたもので、除塵体で防塵フィルターに付着した糸くず等を自動的にかつ確実に除去できる。また、内槽の回転数が、洗濯やすすぎ運転時の回転数より高い乾燥運転時の回転数まで上昇したときに、除塵体が防塵フィルター上まで移動するように設定すれば、乾燥運転時に、除塵体を防塵フィルターに摺接させて効率的に糸くず等を除去して、乾燥効率の低下を防止でき、また、除塵体が、洗濯やすすぎ運転時に不必要に防塵フィルターに摺接することが無いので、除塵体や防塵フィルターの耐久性が大幅に向上する。
【００１０】
また、本発明の洗濯乾燥機は、外槽と、洗濯物を収納すると共に前記外槽内に回転自在に設けられた内槽と、前記内槽内に送風する送風手段と、前記送風手段により送風される空気を加熱する加熱手段と、前記洗濯物から発生する糸くず等を捕獲する防塵フィルターと、前記内槽に取着され前記防塵フィルターに捕獲された糸くず等を除去する除塵体と、前記除塵体に連結されると共に温度を感知すると動作する温度感知部材とを備え、前記温度感知部材は、乾燥運転時に前記加熱手段によって加熱された空気の温度を感知すると、前記除塵体を前記防塵フィルターに当接させるようにしたもので、除塵体で防塵フィルターに付着した糸くず等を自動的にかつ確実に除去できる。また、乾燥運転時にのみ、除塵体を防塵フィルターに当接させるので、効率的に糸くず等を除去して乾燥効率の低下を防止すると共に、除塵体が、洗濯やすすぎ運転、脱水運転時に不必要に防塵フィルターに当接することが無いので、除塵体や防塵フィルターの耐久性が大幅に向上する。
【発明の効果】
【００１１】
本発明の洗濯乾燥機は、除塵体で、防塵フィルターに付着した糸くず等を確実に除去できると共に、乾燥運転時に、防塵フィルター上に糸くず等が堆積することが無いので、乾燥効率に優れたものである。
【発明を実施するための最良の形態】
【００１２】
第１の発明は、外槽と、洗濯物を収納すると共に前記外槽内に回転自在に設けられた内槽と、前記内槽内に送風する送風手段と、前記送風手段により送風される空気を加熱する加熱手段と、前記洗濯物から発生する糸くず等を捕獲する防塵フィルターと、前記内槽に取着されると共に前記防塵フィルターに捕獲された糸くず等を除去する除塵体とを有し、前記内槽の回転時に発生する遠心力で前記除塵体を、前記防塵フィルター上に移動させるようにしたもので、除塵体で防塵フィルターに付着した糸くず等を自動的にかつ確実に除去できる。また、内槽の回転数が、洗濯やすすぎ運転時の回転数より高い乾燥運転時の回転数まで上昇したときに、除塵体が防塵フィルター上まで移動するように設定すれば、乾燥運転時に、除塵体を防塵フィルターに摺接させて効率的に糸くず等を除去して、乾燥効率の低下を防止でき、また、除塵体が、洗濯やすすぎ運転時に不必要に防塵フィルターに摺接することが無いので、除塵体や防塵フィルターの耐久性が大幅に向上する。
【００１３】
第２の発明は、特に、第１の発明の除塵体は、ブラシ部材を備え、前記ブラシ部材を防塵フィルターの表面に摺接させて糸くず等を除去するようにしたもので、防塵フィルターの表面がブラシ部材で擦られるので、防塵フィルターの表面に捕獲された糸くず等を確実に除去することができる。
【００１４】
第３の発明は、特に、第１又は第２の発明の内槽の回転数が、脱水運転時の回転数に達したときに、除塵体を防塵フィルターより外方に移動させるようにしたもので、脱水運転時に除塵体を防塵フィルターの外方に移動させることにより、高速で回転する除塵体が防塵フィルターに摺接することによる破損を防止することができる。
【００１５】
第４の発明は、外槽と、洗濯物を収納すると共に前記外槽内に回転自在に設けられた内槽と、前記内槽内に送風する送風手段と、前記送風手段により送風される空気を加熱する加熱手段と、前記洗濯物から発生する糸くず等を捕獲する防塵フィルターと、前記内槽に取着され前記防塵フィルターに捕獲された糸くず等を除去する除塵体と、前記除塵体に連結されると共に温度を感知すると動作する温度感知部材とを備え、前記温度感知部材は、乾燥運転時に前記加熱手段によって加熱された空気の温度を感知すると、前記除塵体を前記防塵フィルターに当接させるようにしたもので、除塵体で防塵フィルターに付着した糸くず等を自動的にかつ確実に除去できる。また、乾燥運転時にのみ、除塵体を防塵フィルターに当接させるので、効率的に糸くず等を除去して乾燥効率の低下を防止すると共に、除塵体が、洗濯やすすぎ運転、脱水運転時に不必要に防塵フィルターに当接することが無いので、除塵体や防塵フィルターの耐久性が大幅に向上する。
【００１６】
以下、本発明の実施例について、図面を参照しながら説明する。なお、下記実施例によって本発明が限定されるものではない。
（実施例１）
本発明の第１の実施例における洗濯乾燥機について、図１〜４を用いて説明する。図１は、本実施例における洗濯乾燥機の断面図、図２（ａ）は、同洗濯乾燥機の内槽の部分背面図、（ｂ）は、図２（ａ）のＡ−Ａ断面図、図３は、同洗濯乾燥機の外槽の後壁の部分平面図、図４は、同洗濯乾燥機の除塵体の動作を示す図である。
【００１７】
図１〜３において、本実施例における洗濯乾燥機の洗濯乾燥機本体４０（以下「本体４０」という）は、前面に洗濯物３を投入するための第１の投入口４１ａを有する外箱４１と、外箱４１内に一対のダンパー４２で弾性支持されると共に前部に開口４３ａを有する有底円筒形状の外槽４３と、外槽４３内に回転自在に設けられ、前部に洗濯物３を投入するための第２の投入口４４ａを有すると共に、洗濯物３を収容する有底円筒形状の内槽４４と、外槽４３の後壁４３ｂに取り付けられると共に、モータなどからなり内槽４４を回転駆動する駆動源４５と、第１の投入口４１ａを開閉する扉４６と、外槽４３の後壁４３ｂの下部に位置し、洗濯運転時に洗濯液に浸かる領域（２点鎖線より下方）に設けられると共に略扇状に開口した吸入口４３ｃと、吸入口４３ｃに設けられ、乾燥運転時に洗濯物３から発生する糸くず等を捕獲する防塵フィルター４７と、防塵フィルター４７で捕獲された糸くず等を除去する除塵体４８と、一端に、内槽４４の第２の投入口４４ａに対向する吹き出し口５４ａを有し、他端が吸入口４３ｃに連結された通風路５４を備えている。
【００１８】
通風路５４内には、吸入口４３ｃから吹き出し口５４ａに向かって順に、吸入口４３ｃを経て外槽４３から送られてくる空気を除湿する除湿用熱交換器５６と、第２の駆動源５１により回転駆動され、吸入口４３ｃ側から空気を吸引し、吹き出し口５４ａ側に空気を送る送風ファン４９と、送風ファン４９から送り出される空気を加熱する加熱手段５５とが配置されている。
【００１９】
外槽４３の最下端には、外槽４３内の水や洗濯液等を外部に排水するための排水ダクト５８が接続され、その排水ダクト５８の途中には、後述の制御回路６７で開閉制御される排水弁５９が設けられている。
【００２０】
図１に示すように、内槽４４の回転中心軸は、水平方向に対して５°〜３０°の角度で、後部が下になるように傾斜しており、内槽４４の第２の投入口４４ａは、外槽４３の開口４３ａと対向して設けられている。内槽４４の周壁には多数の孔６０が設けられ、空気や、液体が内槽４４の内外間で自由に移動できるようになっている。内槽４４の内壁には、内槽４４が回転したときに、洗濯物３を持ち上げ、落下させるためのバッフル６１が、周方向に１２０°間隔で３ヶ所に、内槽４４の中心方向に向かって突出して設けられている。
【００２１】
外箱４１の上部には、開閉自在の蓋（図示せず）を有し洗剤などを収納する洗剤容器６２と、上端が水道管（図示せず）に接続され、他端が洗剤容器６２に接続されると共に、途中に給水弁６３を有する給水管６４が設けられている。６５は、洗剤容器６２と外槽４３を連通する接続管で、この接続管６５を通して、洗剤と共に水道水を外槽４３内に供給するようになっている。
【００２２】
外箱４１の前面上部には、本実施例における本体４０の運転を操作するための操作パネル６６が設けられ、その裏側に、本体４０の運転動作を制御する制御回路６７が設けられている。
【００２３】
外箱４１の第１の投入口４１ａの開口縁と、外槽４３の開口４３ａの開口縁は、ゴムや軟質樹脂等の弾性体から成るドアパッキン６８で連結され、扉４６を閉じたときには、外槽４３内の液体が外槽４３外に漏れるのを防止している。
【００２４】
除塵体４８は、基材４８ａと、基材４８ａに貼着、溶着又は植毛されると共に外槽４３の後壁４３ｂに設けた防塵フィルター４７側に向かって突出するブラシ部材４８ｂから構成され、その基材４８ａは、内槽４４の背面に設けられた一対の支持部材７０により、内槽４４の回転中心Ｃを通る直線上で摺動自在に保持されている。ブラシ部材４８ｂとして、植毛の替わりに、可撓性を有するブレード片や、針状ブラシを採用してもよい。
【００２５】
７１は、コイルバネなどから形成され、一端が、内槽４４の背面に設けた係止部７２に引っ掛けられ、他端が基材４８ａの後端に係止され、除塵体４８を内槽４４の回転中心Ｃ方向に付勢する弾性部材である。支持部材７０の後端には、除塵体４８の基材４８ａが支持部材７０から抜けるのを防止するための抜け止め部７０ａが形成されている。
【００２６】
一般に洗濯乾燥機の場合、洗濯、すすぎ、乾燥運転時には、内槽４４は、４０〜６０ｒｐｍ程度の回転数で回転し、また、脱水運転時には、１０００〜１５００ｒｐｍほどの高速で回転する。
【００２７】
図２（ａ）は、内槽４４が停止状態にあるときの除塵体４８の位置（Ａ位置）を示している。そして、内槽４４が、洗濯、すすぎあるいは乾燥運転時に、４０〜６０ｒｐｍ程度の回転数で回転すると、除塵体４８が、遠心力により、弾性部材７１の付勢力に抗してＢ位置まで移動し、また、脱水運転のために、内槽４４が、１０００〜１５００ｒｐｍの高速回転したときには、更にＣ位置まで移動するように弾性部材７１の付勢力が設定されている。
【００２８】
また、除塵体４８のＢ位置は、丁度防塵フィルター４７と重なる位置で、Ｃ位置は、防塵フィルター４７の外方、すなわち防塵フィルター４７上から完全に外れる位置である。
【００２９】
また、除塵体４８がＢ位置にあるときは、ブラシ部材４８ｂの先端が防塵フィルター４７の表面に押さえつけられ、防塵フィルター４７の表面に付着した糸くず等が掻き出されるように設定されている。
【００３０】
以上のように構成された本実施例における洗濯乾燥機の動作、作用は、以下の通りである。
本体４０の運転が停止している間は、図４（ａ）に示すように、除塵体４８は、防塵フィルター４７より、内槽４４の中心寄りに位置している（Ａ位置）。
【００３１】
次に、扉４６を開けて洗濯物３を内槽４４に投入し、蓋を開けて洗剤容器６２に所定量の洗剤を投入し、操作パネル６６を操作して、所定の洗濯コースを選択し、運転開始スイッチ（図示せず）を押すと、制御回路６７が、給水弁６３を開き、水道水が給水管６４を通って、洗剤容器６２に供給され、そこで洗剤と混合しながら、接続管６５を通って外槽４３内に供給される。外槽４３内の洗濯水（水道水と洗剤が混合したもの）が、所定の高さ（例えば、図１中の２点鎖線）に達すると図示しない液位センサーがそれを検知し、その検知信号が、制御回路６７に送られ、給水弁６３が閉じられ、駆動源４５に通電されて内槽４４が回転し始める。
【００３２】
内槽４４が回転し始めると、それに伴い除塵体４８に遠心力が作用し、除塵体４８が弾性部材７１の付勢力に抗して、防塵フィルター４７側に移動し始める。そして、内槽４４が通常の洗濯運転時の４０〜６０ｒｐｍ程度の回転数に達すると、図４（ｂ）に示すように、除塵体４８は、内槽４４の半径方向で、Ｂ位置、すなわち防塵フィルター４７に重なる位置まで移動する。そして、内槽４４が１回転する都度、防塵フィルター４７を掃くようになぞり、防塵フィルター４７に付着した糸くず等を除去する。除去された糸くず等は、洗濯水に混入する。
【００３３】
尚、洗濯運転時には、従来の一般的な洗濯乾燥機同様、洗濯物３がバッフル６１で持ち上げられ、落下する動作を繰り返しながら、洗濯物３の洗濯が行なわれる。
【００３４】
洗濯運転が終了すると、除塵体４８に遠心力が作用しなくなるので、除塵体４８は、弾性部材７１による付勢力によりＡ位置（図４（ａ））まで戻ると共に、制御回路６７が、開閉弁５９を開き、外槽４３内の汚れた洗濯水が、除去された糸くず等と共に、排水ダクト５８を通して、外部に排出される。
【００３５】
洗濯水の排水が完了すると、内槽４４を高速回転させて脱水運転が行なわれる。このとき、内槽４４の回転数が１０００〜１５００ｒｐｍと非常に高いので、除塵体４８に大きな遠心力が作用し、図４（ｃ）に示すように、Ｃ位置まで、すなわち、防塵フィルター４７より外方まで移動する。これにより、除塵体４８が、防塵フィルター４７に摺接することが無いので、内槽４４と共に高速で回転する除塵体４８によって防塵フィルター４７が損傷を受けることが無い。
【００３６】
脱水運転が終了すると、開閉弁５９を閉じ、給水弁６３を再び開いて水道水を外槽４３内に供給し、液位が所定の高さに達すると、給水弁６３が閉じられ、駆動源４５の駆動により内槽４４が回転し、すすぎ運転が行なわれる。このすすぎ運転においても内槽４４の回転数が、洗濯運転時のそれとほぼ同じぐらいなので、洗濯運転時と同様に、除塵体４８が、防塵フィルター４７に摺接し、残っている糸くず等を確実に除去する。
【００３７】
すすぎ運転が終了すると、開閉弁５９が開けられて、すすぎ水が外部に排出され、その後、開閉弁５９を開けた状態で、内槽４４を高速回転させて脱水運転が行なわれる。すすぎ、脱水運転は、予め定められた運転シーケンスにより、もう１回若しくは２回繰り返される。
【００３８】
次に、乾燥運転について、説明する。
洗濯、すすぎ、脱水の各運転が終了すると、乾燥運転に移り、制御回路６７の動作により、駆動源４５、加熱手段５５、第２の駆動源５１に通電される。第２の駆動源５１への通電により、送風ファン４９が回転し、外槽４３内の湿った空気が、吸入口４３ｃに設けた防塵フィルター４７を通って、通風路５４に流入し、除湿用熱交換器５６で除湿され、乾いた空気が、加熱手段５５で加熱されて温風となって、通風路５４の出口、すなわち吹き出し口５４ａから、内槽４４内に向かって吹き出される。
【００３９】
そして温風が、内槽４４の回転によって、持ち上げられ、落下する洗濯物３に吹き付けられることにより、洗濯物３の水分が蒸発する。蒸発した水分は、空気と共に、内槽４４の周壁に設けた多数の孔６０を通って、再び、防塵フィルター４７を通って、通風路５４に流入し、除湿用熱交換器５６で、除湿される。この動作が繰り返されることにより、洗濯物３が次第に乾燥していく。この乾燥運転が所定時間続いた後、乾燥運転が終了し、全ての運転が終了する。
【００４０】
また、乾燥運転時には、洗濯物３から発生する糸くず等が防塵フィルター４７によって捕獲されるが、同時に内槽４４が洗濯、すすぎ時とほぼ同様の回転数で回転するので、除塵体４８が、Ｂ位置、すなわち防塵フィルター４７に重なる位置まで移動し、内槽４４が１回転する都度、除塵体４８のブラシ部材４８ｂが、防塵フィルター４７の表面に摺接し、付着したばかりの糸くず等を除去する。
【００４１】
なお、乾燥運転の後半で、加熱手段５５への通電を停止し、徐々に洗濯物３の温度を下げるようにすれば、乾燥後の洗濯物３の取り出し、取り扱いを容易にすることもできる。
【００４２】
以上のように、本実施例における洗濯乾燥機によれば、自動的に、防塵フィルター４７の表面が除塵体４８のブラシ部材４８ｂで擦られるので、防塵フィルター４７の表面に捕獲された糸くず等を確実に除去することができる。また、乾燥運転時に、防塵フィルター４７の表面が常にブラシ部材４８ｂで清掃されるので、高い乾燥効率をずっと維持でき、洗濯物３の乾燥時間を短縮できる。また、洗濯、すすぎ運転時にも、除塵体４８で防塵フィルター４７を清掃するので、防塵フィルター４７を常に綺麗にしておくことができる。
【００４３】
また、脱水運転時に、除塵体４８が防塵フィルター４７より外方に移動するようにしているので、高速で回転する除塵体４８が防塵フィルター４７に摺接することによる破損を確実に防止することができる。
【００４４】
上記実施例では、洗濯やすすぎ運転時の回転数と乾燥運転時の回転数がほぼ同じになるように設定したので、洗濯、すすぎ運転時にも除塵体４８が防塵フィルター４７に摺接するが、乾燥運転時の内槽４４の回転数を、洗濯やすすぎ運転時のそれより高めに設定し、内槽４４が、乾燥運転時の回転数に達したときに、Ｂ位置まで移動するように弾性部材７１の付勢力を設定しておけば、除塵体４８を、乾燥運転時にのみ、防塵フィルター４７に摺接させることも可能で、そうすることにより、除塵体４８が、洗濯やすすぎ運転時に不必要に防塵フィルター４７に摺接することが無く、除塵体４８や防塵フィルター４７の耐久性を大幅に向上させることも可能である。
【００４５】
また、上記実施例では、洗濯、すすぎ或いは、乾燥運転時に、除塵体４８が、遠心力で防塵フィルター４７上まで移動するようにしたが、洗濯、すすぎ、乾燥運転時の回転数がほぼ同じ場合は、除塵体４８を、最初から防塵フィルター４７上に配置しておき、脱水運転時に、強く働く遠心力で、除塵体４８を防塵フィルター４７の外に移動させようにしてもよい。このようにすることにより、除塵体４８の、内槽４４の底面の半径方向の移動距離が短くなり、その分、防塵フィルター４７の半径方向の幅寸法を大きくして、防塵フィルター４７の濾過面積を広くし、通気圧損を低減して乾燥効率をさらに向上させることもできる。
【００４６】
また、洗濯、すすぎ或いは乾燥運転時以外に、防塵フィルター４７と除塵体４８を摺接させる専用モードを設けてもよい。専用の回転数を設定することにより、除塵体４８の移動をより安定させることができる。
例えば、内槽４４を、洗濯、すすぎ、乾燥運転時の回転数より若干高い回転数、例えば、３００ｒｐｍで回転させるためのスイッチ（図示せず）を設け、内槽４４がその回転数に達したときに、作用する遠心力で除塵体４８が防塵フィルター４７上に移動するようにすれば、使用者は、防塵フィルター４７の掃除をしたいときに、前記スイッチを操作するだけで、簡単に除塵体４８で防塵フィルター４７を清掃することができる。特に、この場合は、除塵体４８は、使用者が必要とする時のみ、防塵フィルター４７に摺接するので、除塵体４８、防塵フィルター４７の消耗が著しく低減され、長期間に渡って使用することができるものである。なお、この場合も、脱水運転時に、除塵体４８が、強い遠心力で防塵フィルター４７の外まで移動するようにする、ことは言うまでもない。
【００４７】
（実施例２）
図５は、本発明の第２の実施例における洗濯乾燥機の断面図、図６は、同洗濯乾燥機の断面図（除塵体動作時）、図７（ａ）は、同洗濯乾燥機の内槽の部分背面図、（ｂ）は、図７（ａ）のＢ−Ｂ断面図、図８は、同洗濯乾燥機の外槽の後壁の部分平面図である。
【００４８】
本実施例における洗濯乾燥機と、上記第１の実施例における洗濯乾燥機とは、除塵体の構成と、防塵フィルターの取り付け構造が異なるもので、他の構成、作用、動作は同一である。したがって、同一部分については、同一符号を付してその説明を省略する。
【００４９】
図５〜８において、本実施例における洗濯乾燥機の洗濯乾燥機本体８０（以下、「本体８０」という）に回転自在に収納された内槽４４の背面には、熱膨張率が異なると共に互いに貼り合わせた２枚の金属板８４ａと８４ｂから構成され、温度を感知すると一方に撓む温度感知部材８４の一端がネジ８３で固定されている。なお、温度感知部材８４は、その長手方向の中心線が、内槽４４の回転中心Ｃを通るように配置されている。本実施例では、外側の金属板８４ａに熱膨張率の小さい材料としてインバーを、また、内側の金属板８４ｂには、熱膨張率の大きな材料として黄銅を使用している。
温度感知部材８４の上面のネジ８３と反対側には、ブラシ部材からなる除塵体８１が接着や溶着などの方法で連結されている。
【００５０】
また、本実施例における防塵フィルター８２は、図５、６に示すように、後ろ下がり状に若干傾斜すると共に、外槽４３の後壁４３ｂに略扇状に開口して形成された吸入口４３ｃに取り付けられている。また、防塵フィルター８２は、除塵体８１と対向するように配されると共に、その径方向の幅Ｗ寸法を、除塵体８１の長さと略同一にしている。
【００５１】
上記構成により、乾燥運転時に、乾燥風により外槽４３内部の温度が上昇してくると、その温度を感知して、温度感知部材８４が、図６に示すように、除塵体８１の先端が防塵フィルター８２に当たる位置まで撓み、内槽４４が１回転する都度、除塵体８１で、防塵フィルター８２に付着した糸くず等を確実に除去する。
【００５２】
以上のように、本実施例によれば、除塵体８１で防塵フィルター８２に付着した糸くず等を自動的にかつ確実に除去すると共に、乾燥運転時にのみ、除塵体８１を防塵フィルター８２に当接させることになるので、効率的に糸くず等を除去して乾燥効率の低下を防止すると共に、除塵体８１が、洗濯やすすぎ運転、脱水運転時に不必要に防塵フィルター８２に当接することが無く、除塵体８１や防塵フィルター８２の耐久性が大幅に向上する。
【産業上の利用可能性】
【００５３】
以上のように、本発明にかかる洗濯乾燥機は、除塵体で防塵フィルターに付着した糸くず等を確実に除去できると共に、乾燥効率に優れたもので、各種洗濯乾燥機に利用できる。
【図面の簡単な説明】
【００５４】
【図１】本発明の第１の実施例における洗濯乾燥機の断面図
【図２】（ａ）同洗濯乾燥機の内槽の部分背面図、（ｂ）図２（ａ）のＡ−Ａ断面図
【図３】同洗濯乾燥機の外槽の後壁の部分平面図
【図４】（ａ）〜（ｃ）同洗濯乾燥機の除塵体の動作を示す図
【図５】本発明の第２の実施例における洗濯乾燥機の断面図
【図６】同洗濯乾燥機の断面図（除塵体動作時）
【図７】（ａ）同洗濯乾燥機の内槽の部分背面図、（ｂ）図７（ａ）のＢ−Ｂ断面図
【図８】同洗濯乾燥機の外槽の後壁の部分平面図
【符号の説明】
【００５５】
３  洗濯物
４０、８０  洗濯乾燥機本体（本体）
４３  外槽
４４  内槽
４９  送風ファン（送風手段）
４７、８２  防塵フィルター
４８、８１  除塵体
５４  通風路
５５  加熱手段
８４  温度感知部材
【図１】
2008272222.tif 000003
【図２】
2008272222.tif 000004
【図３】
2008272222.tif 000005
【図４】
2008272222.tif 000006
【図５】
2008272222.tif 000007
【図６】
2008272222.tif 000008
【図７】
2008272222.tif 000009
【図８】
2008272222.tif 000010